(57)【特許請求の範囲】
【請求項１】
便器を備えたトイレに設置されるトイレ用台装置において、前記便器前方の使用位置と収納位置とに可動な台と、この台をトイレに取付ける固定部とを備え、前記便器は便座を備え、前記使用位置は、使用者が前記便座に座した状態で手の届く前方上側の範囲にあり、前記固定部は２本の垂直方向に伸びる手摺であり、前記便器周囲の側壁に前記２本の垂直方向に伸びる手摺と水平方向に伸びる手摺を設置し、それら２本の垂直方向に伸びる手摺の間に前記台の回動部を回動可能な状態で取り付けて該台を回動自在に設け、前記台は略Ｕ字形の枠体とこの枠体に着脱可能に支持される天板とを備え、前記枠体の基端側に前記回動部が設けられ、前記台は、使用時には前記使用位置に位置固定され、不使用時には前記回動部を中心に上方に回動して前記側壁に沿い、前記２本の垂直方向に伸びる手摺間の前記収納位置に収納されることを特徴とするトイレ用台装置。
【請求項２】
前記台が前記使用位置にあって前記垂直方向に伸びる手摺に片側支持で位置固定されることを特徴とする請求項１記載のトイレ用台装置。
【請求項３】
前記台が前記使用位置にあって片側が支え脚で支持されることを特徴とする請求項１又は２記載のトイレ用台装置。
【請求項４】
前記台は、介護用トイレのつかまり台であることを特徴とする請求項１〜３のいずれか１項に記載のトイレ用台装置。
【請求項５】
請求項１〜４のいずれか１項に記載のトイレ用台装置と前記便器とを備えることを特徴とするトイレシステム。
【発明の詳細な説明】
【技術分野】
【０００１】
本発明は、トイレ内に設置される介護などにも使用できるトイレ用台装置とトイレシステムに関する。
【背景技術】
【０００２】
従来、介護用のトイレでは、用便の際の着座時や立ち上がり時に、便座の左または右の壁にそって水平または垂直に取り付けられた手摺が用いられていた（例えば特許文献１）。
【０００３】
また、台としては、トイレ内においては便座の左または右の壁に沿って固定取付けられた棚や、上方部に取り付けられた天井棚が用いられていた（例えば特許文献２）。
【特許文献１】特開２０００−１９７５９０
【特許文献２】特開２００１−２１２０３３
【発明の開示】
【発明が解決しようとする課題】
【０００４】
従来の壁に沿って取付けられた手摺では、起立の際に、手摺側に全体重がかかるので、体自体が壁側に傾き、介護を必要とする人には自分の腕の力だけでは体を支えるには問題があり、不安定な体勢が生じた。
【０００５】
また、介護する側においても、用便の際のズボンの上げ下げや、おしりを拭く際に体が壁に寄りかかり、不安定な状態となり、介護を必要とする人の体を支えながらの介護では、支えきれないという問題が生じた。
【０００６】
台については、便座に座る際に支障にならないよう、従来のトイレ内のカウンターでは壁に沿って設置されている場合が多くあり、メモを書く際には体をよじらねばならなかった。
【０００７】
そして、従来の棚は、トイレにおいて便座に座した状態で新聞や本を読む場合の台とはならず、使い勝手がよくなかった。さらに、台が側面や天井に設けられているため、便座に座した状態で、眼鏡や鏡などの小物を置くには不便であった。
【０００８】
本発明は上記従来の問題に鑑みて、トイレ室内の広さを必要とせず、既存のトイレに後から設置することができ、さまざまなタイプの間取りに対応でき、車椅子での出入りも困難を生ずることもなく、介護時においては要介護者の体が一方の壁に傾くことのない介護しやすい、トイレ内に設置する介護としても使えるトイレ用台装置を提供することを目的とする。
【０００９】
また、便座に着座時に支障とならないので、着座後は、新聞や本を読む際のテーブルと小物を置く台として要介護者のみでなく健常者にも使えるトイレ用台装置を提供することを目的とする。
【課題を解決するための手段】
【００１０】
請求項１の発明は、便器を備えたトイレに設置されるトイレ用台装置において、前記便器前方の使用位置と収納位置とに可動な台と、この台をトイレに取付ける固定部とを備え、前記便器は便座を備え、前記使用位置は、使用者が前記便座に座した状態で手の届く前方上側の範囲にあり、前記固定部は２本の垂直方向に伸びる手摺であり、前記便器周囲の側壁に前記２本の垂直方向に伸びる手摺と水平方向に伸びる手摺を設置し、それら２本の垂直方向に伸びる手摺の間に前記台の回動部を回動可能な状態で取り付けて該台を回動自在に設け、前記台は略Ｕ字形の枠体とこの枠体に着脱可能に支持される天板とを備え、前記枠体の基端側に前記回動部が設けられ、前記台は、使用時には前記使用位置に位置固定され、不使用時には前記回動部を中心に上方に回動して前記側壁に沿い、前記２本の垂直方向に伸びる手摺間の前記収納位置に収納されるものである。
【００１１】
請求項２の発明は、前記台が前記使用位置にあって前記垂直方向に伸びる手摺に片側支持で位置固定されるものである。
【００１２】
請求項３の発明は、前記枠体の先端側に支え脚の上端側が回動可能に連結され、前記台が前記使用位置にあって片側が前記支え脚で支持されるものである。
【００１３】
請求項４の発明は、前記台は、介護用トイレのつかまり台である。
【００１４】
請求項５の発明は、請求項１〜４のいずれか１項に記載のトイレ用台装置と前記便器とを備えるものである。
【００１５】
尚、固定部とは、トイレに固定されていて台の収納時、使用時に、台をトイレに固定しているものをいう。支え部とは、台の使用時にトイレに固定するもので固定部以外をいい、例えば、支え脚や支え台などである。
【００１６】
また、便座上方で座す状態とは、便座に直接座す他に車椅子で便座上方で座した状態をいう。
【発明の効果】
【００１７】
本発明によれば、台を収納できることから、トイレ室内の広さを必要とせず、新設のトイレはもちろん既存のトイレに後から設置することができ、さまざまなタイプの間取りに対応できる。
【００１８】
そして、台が便座着座後に前面に設置されるので、介護の際にも、要介護者の体が一方の壁に傾くことがなく、台に前倒しの姿勢で全体重をかけることができるので、介護がしやすい。また、台は収納できるので、車椅子の出入りにも困難を生じることもない。
【００１９】
請求項１の構成によれば、狭いトイレ空間に使用することができ、台は例えばテーブルとして使用でき、物置台、メモを書くための台、など多用途に使用でき、収納できることで、出入りの邪魔にならず、車椅子での出入りも容易にすることができる。
【００２０】
また、請求項１の構成によれば、便座を有する便器が椅子の役割をはたし、台をテーブルとして使うことができる。
【００２１】
また、請求項１の構成によれば、便座に座した状態で使用できる。
【００２２】
また、請求項１の構成によれば、垂直方向に伸びる手摺りに対して台を回動することにより、台を使用位置と収納位置に移動することができる。
【００２３】
また、請求項１の構成によれば、天板を備えることで、台を介護用のつかまり台、テーブル、物置台など、多用途に使用することができる。
【００２４】
また、請求項１の構成によれば、固定部取り付け位置を側壁にしたことで、トイレの形状に合わせて取付けでき、トイレ室内において邪魔とならず、スペースを広く使うことができる。
【００２５】
また、請求項１の構成によれば、手摺を固定部にしたことで、手摺と台が一体の構造となり、介護用としての機能を向上させることができ、手摺によっても台の積載荷重を支えることができる。
【００２６】
また、請求項２の構成によれば、片側に固定されるため他の側の自由度が増す。
【００２７】
また、請求項３の構成によれば、支え脚で固定されるため構造上強固となる。
【００２８】
また、請求項４の構成によれば、台を介護用として使用する場合、台をつかまり台として使用することもでき、また要介護者が台に前倒しで体重をかけることで、中腰姿勢を取り易く、介護する側が容易に着衣の上げ下げやおしり拭きなどの介護を行うことができる。
【００２９】
また、請求項５の構成によれば、要介護者、健常者ともトイレ使用時の機能が増す。
【発明を実施するための最良の形態】
【００３０】
以下、本発明における実施形態ついて、添付図面を参照しながら説明する。
【実施例１】
【００３１】
本発明の第１実施例について、図１〜図３を参照しながら説明する。図１においては、手摺６ａと回動部２ａを一体構造としたトイレ用台装置の使用状態を示す。
【００３２】
図１に示すとおり、トイレ内には便器１が設けられ、この便器１の左右に位置するトイレ側壁Ｗｓに、垂直方向に伸びる手摺６ａと水平方向に伸びる手摺６ｂが設置されており、２本の垂直方向に伸びる手摺６ａ，６ａの間に、台４の回動部２ａを設け、この回動部２ａは固定部たる手摺６ａに回動可能な状態で取り付けられる。そして、この例では、台４は枠体４ａと天板４ｂとを備える。前記トイレは、便器１に便座１ａを備える洋式トイレであり、その便器１の後方にはトイレの後面壁Ｗｂが設けられている。
【００３３】
便器１の便座１ａ着座時に、該便座１ａの前面に設置される台４は、前記枠体４ａに板状体たる天板４ｂが着脱自在に支持され、使用状況にあわせ、天板４ｂを取り外した状態で枠体４ａのみを台として手摺の代りに使用することも可能である。
【００３４】
前記枠体４ａは棒状のものを略Ｕ字形に形成し、両端に前記回動部２ａを設けたものであるが、枠体４aの断面形状は丸棒に限らず、四角、楕円でもよく、あるいは、ゴム構造のものを空気で膨らませ、棒状としてもよい。また、天板４ｂは木板、鋼板、アクリル板、透過性のある板等を使用してもよい。また、天板４ｂは網目状の板でもよく、ゴム構造のものを空気で膨らませた板でもよい。
【００３５】
枠体４ａと天板４ｂを備えた台４は、使用時には、図１に示すように、使用位置である便座１ａの前方上側に位置固定され、不使用時には、回動部２ａを中心に上方に回動して、図２に示すように、収納位置である側壁Ｗｓに沿い、この位置で前記手摺６ａ，６ａ間に収納される。
【００３６】
台４は着座時においては、側壁Ｗｓに沿った収納状態にあり、便器１の前方は開放され着座の邪魔にならず、便座着座後に台４を可倒すると着座前面に台４が設置される。尚、収納時の台４は手摺として使用できるものとしてもよい。
【００３７】
便器１の前方に設置された台４はテーブルとして使用でき、物置台、メモを書くための台、など多用途に使用でき、また要介護者が使う場合は、台４に前倒しの状態で全体重をかけることで、楽に中腰体勢が取れ、着衣の上げ下げし、用便後の拭き取りができる。
【００３８】
このように発明の台４はトイレの出入りの邪魔にならない。また、台４を介護用のつかまり台として使用したり、物置台として使用したりでき、例えば、トイレで本や新聞を読む際のテーブルとして使用することができる。さらに、頬杖をつく台４として使用したり、メモを取る台４として使用したりして、思索や創造の場として、トイレの時間を有効活用することができる。
【００３９】
このように本実施例では、請求項１に対応して、便器１を備えたトイレに設定されるトイレ用台装置において、便器１前方の使用位置と収納位置とに可動な台４と、この台４をトイレに取付ける固定部たる手摺６ａ，６ａとを備え、便器１は便座１ａを備え、前記使用位置は、使用者が便座１ａに座した状態で手の届く前方上側の範囲にあり、前記固定部は２本の垂直方向に伸びる手摺６ａ，６ａであり、便器１周囲の側壁Ｗｓに２本の垂直方向に伸びる手摺６ａ，６ａと水平方向に伸びる手摺６ｂを設置し、それら２本の垂直方向に伸びる手摺６ａ，６ａの間に台４の回動部２ａを回動可能な状態で取り付けて該台４を回動自在に設け、台４は略Ｕ字形の枠体４ａとこの枠体４ａに着脱可能に支持される天板４ｂとを備え、枠体４ａの基端側に回動部２ａが設けられ、台４は、使用時には前記使用位置に位置固定され、不使用時には回動部２ａを中心に上方に回動して側壁Ｗｓに沿い、２本の垂直方向に伸びる手摺６ａ，６ａ間の前記収納位置に収納されるから、狭いトイレ空間に使用することができ、台４は例えばテーブルとして使用でき、物置台、メモを書くための台、など多用途に使用でき、収納できることで、出入りの邪魔にならず、健常者はもちろん車椅子での出入りも容易にすることができる。
【００４０】
また、このように本実施例では、請求項１に対応して、便器１は便座１ａを備え、台４は便座１ａの前方上側の使用位置に可動であるから、便座１ａでの着座時に支障とならず、着座後は、便器１が椅子の役割をはたし、台４をテーブルとして使うことができる。
【００４１】
また、このように本実施例では、請求項１に対応して、前記使用位置は、使用者が便座１ａ上方で座した状態で手の届く範囲であり、便座１ａ上方に座した状態で使用できる。
【００４２】
また、このように本実施例では、請求項１に対応して、台４を固定部たる手摺６ａ，６ａに回動自在に設けたから、手摺６ａ，６ａに対して台４を回動することにより、台４を使用位置と収納位置に移動することができる。
【００４３】
また、このように本実施例では、請求項１に対応して、板状体たる天板４ｂを備えるから、台４をテーブル、物置台、など、多用途に使用することができる。
【００４４】
また、このように本実施例では、請求項１に対応して、固定部たる手摺６ａ，６ａは、便器１周囲の側壁Ｗｓに設けられているから、トイレの形状に合わせて取付けでき、トイレ室内において邪魔とならず、スペースを広く使うことができる。
【００４５】
また、このように本実施例では、請求項１に対応して、固定部が手摺６ａ，６ａであるから、手摺６ａ，６ａと台４が一体と構造となり、介護用としての機能を向上させることができ、手摺６ａ，６ａによっても台４の積載荷重を支えることができる。
【００４６】
また、このように本実施例では、請求項２に対応して、台４が前記使用位置にあって垂直方向に伸びる手摺り６ａ，６ａに片側支持で位置固定されるから、片側に固定されるため他の側の自由度が増す。
【００４７】
また、このように本実施例では、請求項４に対応して、台４は、介護用トイレのつかまり台であるから、台４を介護用として使用する場合、つかまり台として使用することもでき、また要介護者が台４に前倒しで体重をかけることで、中腰姿勢を取り易く、介護する側が容易に着衣の上げ下げやおしり拭きなどの介護を行うことができる。
【００４８】
また、このように本実施例では、請求項５に対応して、トイレ台装置と便器１とを備えるトイレシステムであるから、要介護者、健常者ともトイレ使用時の機能が増す。
【実施例２】
【００４９】
図４及び図５は本発明の第２実施形態を示し、上記第１実施例と同一部分に同一符号を付し、その詳細な説明を省略して詳述すると、同図に示すとおり、側壁Ｗｓに設置された水平方向に伸びる手摺６ｂに、回動可能な状態で回動部２ａ，２ａが取り付けられ、回動部２ａには枠体４ａと一体化された支持部３が固定される。尚、図中Ｗｆは、トイレの前面壁である。また、この例の枠体４ａは略長方形形状をなす。尚、支持部３は前記枠体４ａと同一材質のものから形成される。
【００５０】
前記枠体４ａの基端側に前記回動部２ａを設け、該枠体４ａの先端側に回動軸21を設けられ、この回動軸21に、支え部たる支え脚11の上端側が連結され、この支え脚11が前記枠体４ａに回動可能に設けられている。尚、回動部２ａと回動部21の回転中心は相互に平行をなす。
【００５１】
図４に示すように、使用位置において、台４の天板４ｂは便器１前方で水平に位置し、この台４の使用時においては、枠体４ａに回転軸21を介して取付けられた支え脚11によって、台４の積載荷重を手摺６ｂと共に支え、側壁Ｗｓが支え脚１１の開脚を止めるストッパの働きをする。すなわち、支え脚11の下端が側壁Ｗｓに係合して位置固定される。
【００５２】
収納時には、まず、回転軸21を中心として支え脚11が枠体４ａの下面側に沿うように回動すると共に、台４と支え脚11とを回動部２ａを中心として回動し、両者を側壁Ｗｓに沿った状態で収納する。
【００５３】
このように使用位置から台４を側壁Ｗｓに沿う収納位置に収納する場合、回動部２ａを中心に台４を上方に回動すると、台４が側壁Ｗｓに沿うと共に、支え脚11が回動部21を中心に回動して側壁Ｗｓに沿った台４に沿って収納され、逆に収納位置から台４及び支え脚11を下方に回動し、支え脚11の下端が側壁Ｗｓに係止して台４が使用位置で水平に保持される。
【００５４】
このように本実施例では、請求項１，２，４及び５に対応して、上記第１実施例と同様な作用・効果を奏し、また、請求項３に対応して、枠体４ａの先端側に支え脚11の上端側が回動可能に連結され、台４が使用位置にあって片側が支え脚11で支持されるから、支え脚11で固定されるため構造上強固となる。
【００５５】
また、この例では、台４の基端側を回動部２ａにより固定部たる手摺６ｂに回動可能に連結し、台４の先端側に支え脚11を回動可能に連結し、この支え脚11のストッパたる側壁Ｗｓを備えるから、使用状態で、台４の両側が支持されるため、台４が安定し、また、支え脚11が台４に回動可能に連結されているから、収納時には台４と支え脚11とが重なり合った折畳み状態でコンパクトに収納することができる。
【００５６】
尚、本発明は上記各実施例に限定されるものではなく、本発明の容易の範囲内において、種々の変形実施が可能である。例えば、図６に示すように、台４を構成する枠体４ａの下部に、スライド式の引き出し32又は収納箱を取り付けてもよく、また、図７に示すように、台４の枠体４ａ又は天板４ｂに手摺31を取り付けるようにしてもよい。さらに、台４にはスライド式の引き出し板を取り付けることも可能である。また、台の形状は適宜選定可能である。また、回動部は蝶番により軸芯を中心に回動可能としてもよく、あるいはボール結合としてもよい。また、台を移動する移動手段は手動でもよく、又は電動などの手段でもよい。そして、上記各実施例で用いた構造を適宜組合わせてトイレ室内の状況に合わせて設置してもよい。
【産業上の利用可能性】
【００５７】
本発明のトイレ用台装置は、介護用としても適用できる。
【図面の簡単な説明】
【００５８】
【図１】本発明の第１実施例を示す手摺と回動部を一体構造とした台装置の使用状態を示す斜視図である。
【図２】同上、収納位置の台装置の斜視図である。
【図３】同上、使用位置の台装置の斜視図であり、板状体を取り外した状態を示す。
【図４】本発明の第２実施例を示す台装置の平面図である。
【図５】同上、正面図である。
【図６】台の変形例を示す台の正面図である。
【図７】台の他の変形例を示す台の平面図である。
【符号の説明】
【００５９】
１  便器
２ａ  回動部
２ｂ  固定部
３  支持部
４  台
４ａ  枠体
４ｂ  天板（板状体）
６  手摺
６ａ  垂直方向に伸びる手摺（固定部）
６ｂ  水平方向に伸びる手摺
11  支え脚
Ｗｆ  前面壁
Ｗｓ  側壁
Ｗｂ  後面壁
【図１】
0003787843.tif 000002
【図２】
0003787843.tif 000003
【図３】
0003787843.tif 000004
【図４】
0003787843.tif 000005
【図５】
0003787843.tif 000006
【図６】
0003787843.tif 000007
【図７】
0003787843.tif 000008